(57)【特許請求の範囲】
【請求項１】
電導体の表面に螺旋状の溝を形成した第１の電導体と、
前記第１の電導体の外側にコイル状に配置した第２の電導体と、
該第２の電導体の外側に配置された筒状金属板と、
該筒状金属板の外側に配置された被覆部材と、
を備えることを特徴とする螺旋形成電導体装置。
【請求項２】
前記第２の電導体の表面に螺旋状の溝を形成したことを特徴とする請求項１記載の螺旋形成電導体装置。
【請求項３】
前記第１の電導体又は第２の電導体の一方又は両方の螺旋状の溝が、５０度５０分のリード角をもって形成されていることを特徴とする請求項１記載の螺旋形成電導体装置。
【請求項４】
前記螺旋形成電導体装置の一端に電気的負荷を接続したことを特徴とする請求項１記載の螺旋形成電導体装置。
【発明の詳細な説明】
【０００１】
【発明の属する技術分野】
本発明は、ノイズの極力少ない交流波形を得ることが出来る電導体（導体）に関し、更には、ノイズの極力少ない磁界を発生させることができる電導体に関する。
【０００２】
【従来の技術】
磁界が人体に対してある意味で良好な作用を与えることが知られている。
そのため電導体に通電すると磁界が発生することから、これを利用した健康器具や医療器具が開発されている。
例えば、小さな永久磁石を配置した絆創膏を人の皮膚面に張りつけて凝りを取り除く方法が知られている。
更にまた、磁界中に人体を置くことにより血流を有効に高める医療具も知られている（因みに、これらが効果を奏するのは、例えば、人の血液中に含有する鉄分が影響していると考えられている）。
【０００３】
特に、交流波形を利用した健康具や医療器具は、通電の制御によって磁界の出力の調整が自由であることから、利用されつつある。
ところで、室内などに引き込んだ商用交流電線には、例えば、家庭の外や家庭内の電気機器からのノイズ成分が重畳して、交流波形にノイズを生ぜしめる。
例えば、ラジオ受信機やテレビジョン受像機に音声又は映像にはノイズが発生するのはその例である。
このように交流波形におけるノイズの発生は不可避である。
そのため、健康具や医療器具を使って、必ずしも安定した磁界を得ることができずその有効な効果を弱める原因となっている。
【０００４】
【発明が解決しようとする課題】
本発明は、このような従来の技術における問題点を解決するものであり、交流の通電時におけるノイズ成分を効果的に除去できるとともに、安定した磁界の発生が可能になる螺旋形成電導体を提供を目的とする。
【０００５】
【課題を解決するための手段】
本発明者等は、このような問題点を解決すべき鋭意研究を行った結果、意外にも螺旋形成電導体に螺旋状の溝を付与することにより、交流通電時、ノイズが明確に除去できることを見出し、この知見により本発明を完成させたものである。
【００１０】
すなわち、本発明は、（１）、電導体の表面に螺旋状の溝を形成した第１の電導体と、該第１の電導体の外側にコイル状に配置した第２の電導体と、該第２の電導体の外側に配置された筒状金属板と、該筒状金属板の外側に配置された被覆部材と、を備える螺旋形成電導体装置に存する。
【００１１】
そして、（２）、前記第２の電導体の表面に螺旋状の溝を形成した上記（１）記載の螺旋形成電導体装置に存する。
【００１２】
そしてまた、（３）、前記第１の電導体又は第２の電導体の一方又は両方の螺旋状の溝が、５０度５０分のリード角をもって形成されている上記（１）記載の螺旋形成電導体装置に存する。
【００１３】
そしてまた、（４）、前記螺旋形成電導体装置の一端に電気的負荷を接続した上記（１）記載の螺旋形成電導体装置に存する。
【００１４】
このような構成の本発明では、交流の通電におけるノイズ成分の除去が効果的に可能になる。
その結果、安定した磁界の発生が得られるものである。
【００１５】
【発明の実施の形態】
次に、交流の通電におけるノイズ成分の除去が有効に可能となる電導体（導体）の例を示す。
以下、本発明の螺旋形成電導体及びそれを備えた装置の実施の形態を図面を参照して詳細に説明する。
【００１６】
図１は本発明の螺旋形成電導体の第１の実施の形態を示す図である。
（ａ）は側面図であり、（ｂ）は、図１（ａ）中のＡ−Ａ断面図である。
図から明らかなように、電導体１は、断面円形であり一定の長さを有するもので長尺体である。
そして、その表面にはＺ撚り方向（いわゆる右巻き方向）の螺旋状の溝１ａが形成されている。
この溝の角度θ（いわゆるリード角）は任意に設定することができる。
【００１７】
図２は本発明の螺旋形成電導体の第２の実施の形態を示す図である。
（ａ）は側面図であり、（ｂ）は、図２（ａ）中のＡ−Ａ断面図である。
図から明らかなように、電導体１は、断面円形であり一定の長さを有する。  そして、その表面にはＺ撚り方向の螺旋状の突起２ｂが形成されている。
この突起２ｂの角度θ（いわゆるリード角）は任意に設定することができる。
【００１８】
図３は本発明の螺旋形成電導体の第３の実施の形態を示す図である。
図から明らかなように、電導体１は、断面円形であり一定の長さを有する。  そして、その表面にはＳ撚り方向（いわゆる左巻き方向）の螺旋状の溝３ａが形成されている。
この螺旋の溝３ａの角度θは、図１に示す螺旋状の溝１ａに比べてより鋭角に形成されるとともに、その螺旋状の溝の方向が反対である。
【００１９】
図４は本発明の螺旋形成電導体の第４の実施の形態を示す図である。
図から明らかなように、電導体１は、断面円形であり一定の長さを有する。  そして、その表面にはＳ撚り方向の螺旋状の突起４ｂが形成されている。
この螺旋の突起４ｂの角度θは、図２に示す螺旋状の突起２ｂに比べてより鋭角に形成されるとともに、その螺旋状の突起の方向が反対である。
【００２０】
図５は本発明の螺旋形成電導体の第５の実施の形態を示す図である。
これは、互いに逆方向の２つの螺旋状の溝５ａ（突起５ｂ）が形成されているものである。
（ａ）は、Ｓ撚り方向の螺旋状の溝５ａとＺ撚り方向の螺旋状の溝５ａの２つが形成されている例、（ｂ）は、Ｓ撚り方向の螺旋状の溝５ａとＺ撚り方向の螺旋状の突起５ｂの２つが形成されている例、（ｃ）は、Ｓ撚り方向の螺旋状の突起５ｂとＺ撚り方向の螺旋状の突起５ｂの２つが形成されている例である。
（ｄ）は、Ｓ撚り方向の螺旋状の溝５ａと同じくＳ撚り方向の螺旋状の突起５ｂとの２つが形成されている例である。
【００２１】
これら（ａ）〜（ｄ）において、２つの螺旋状の溝又は突起の角度（いわゆるリード角）は同じでもよく、異なっていてもよい。
また、（ａ）〜（ｃ）においては、Ｓ撚り方向の螺旋状の溝とＺ撚り方向の螺旋状の溝とをその一方を複数、又は両方を複数とすることも可能である。
また（ｄ）においては、Ｓ撚り方向の螺旋状の溝とＳ撚り方向の螺旋状の突起とをその一方を複数、又は両方を複数とすることも可能である。
【００２２】
なお、図１から図５に示す螺旋形成電導体１〜５は、その直径や長さが異なっても良いことはいうまでもない。
また、断面形状は他の形のものも採用され、例えば、楕円、角形等のものも可能である。
また螺旋状の溝又は突起の断面形状も、半円、円形の一部を切除した形状、角形状等種々の選択が可能である。
【００２３】
また、螺旋形成電導体１の材質としても、原則として導電するものであれば、種々のものが可能であるが、例えば、銅、鉄等の金属類や炭素等が採用される。
ここで、以上述べた螺旋形成電導体は、それを介することにより、後述するように、交流波形のノイズ成分が除去された理想の波形を得ることができるものである。
そのため他の装置類（電気的負荷を有するもの）、すなわち、医療器具や健康具に組み込むことにより、同様の効果を得ることができる。
【００２４】
次に、前記、図１〜図５の螺旋状の溝１ａ，３ａ又は螺旋状の突起２ａ，４ａの角度について説明する。
図６は螺旋状の溝又は螺旋状の突起の角度θ（いわゆるリード角）を説明するための図である。
この角度は、自由に設定することが可能であるが、特に、いわゆる黄金角といわれる角度、すなわち、約５０度５０分（５０°５０）が好ましい。
ここで黄金角は、ヨーロッパの建築物、絵画、彫刻、の美を決める最適値として、また自然界の動植物の成長（成長、収縮を繰り返すエネルギー現象）の最適値として極めて重要な値であることが経験的に知られている。
因みに、参考までに、ピラミッドの例〔図６（ａ）〕や水の分子構造の例〔図６（ｂ）〕を示した。
【００２５】
次に、図７は本発明の螺旋形成電導体を使った磁界発生装置の回路例である。
前記、図１から図５に示す電導体に、電源１０及び負荷Ｒを接続することで磁界が発生する。
ここで発生する交流波形もノイズが除去されたものとなっており、そのため発生する磁界も安定した効率的なものになっている。
【００２６】
図８は、前記、図１から図５の螺旋形成電導体を含む装置を示す図である。
（ａ）は螺旋形成電導体を使った螺旋形成電導体装置を模式的に示す斜視図であり、（ｂ）は、（ａ）中のＡ−Ａ断面である。
【００２７】
図からわかるように、まず、中央部に第１の電導体が配置されている。
この第１の電導体は、上記各実施の形態（図１から図５）で示した電導体１（２，３，４，５）を使用することができる。
ここでは電導体１の表面にＳ撚り方向の螺旋状の溝が形成されているものを示した。
この第１の電導体の外側には、更に第２の電導体１５が配置されている。
この第２の電導体は、第１の電導体より径の小さい電導体、すなわちコイル状の電線が採用され、このコイル状の電線の螺旋の方向は、Ｚ撚り方向のものが使用される。
【００２８】
第２の電導体の両端は、第１の電導体の両端と電気的に接続されている。
ここで第２の電導体１５にも、図１〜図５の螺旋形成電導体１〜５に示すような螺旋状の溝又は突起を形成することがより好ましい。
この第２の電導体の外側には筒状金属板１６が配置される。
この筒状金属板１６は、第２の電導体１５の外周を覆うようにされており、その材質は、特殊金属板、例えば、アモルファス金属板が採用される。
更に、この特殊金属板の外側は、被覆材１７により被覆されている。
被覆材１７としては、例えば合成樹脂が採用され、具体的には、ポリウレタン樹脂、アクリル樹脂、無機質粉末（トルマリン、蛇紋石粉末等）が使用されることが好ましい。
【００２９】
この被覆材により、外形が一定の形状、ここでは円柱状に形成される。
ここで、この第１の電導体の溝はＺ撚り方向も可能であり、また、第２の電導体であるコイル状の電線は、Ｓ撚りも可能である。
そして、コイル状の電線に螺旋状の溝を形成した場合は、その方向はＳ撚りでもＺ撚りでもよい。
以上の螺旋形成電導体装置にその両端に電圧（交流）を印加すると、その出力側の交流波形にノイズ成分が重畳されなくなり、その結果、ノイズ成分がない電圧による発生磁界が得られる。
第１の電導体或いは第２の電導体がそのような機能を有していることから、当然である。
【００３０】
〔実測１〕
次に、螺旋の溝を形成した電導体１の効果を示す実験を行った。
そして、螺旋の溝又は突起を形成しない螺旋形成電導体との比較を示す。
図９は、ノイズ成分の除去を行う観測実験を説明するための図である。
まず、本発明の第１の実施の形態のようなＺ撚り方向の螺旋状の溝（螺旋溝の溝断面は半円形のもの）を有する螺旋形成電導体（銅製）を用意する。
螺旋形成電導体２０の長さは、２５０ｍｍ、直径は６ｍｍである。
そして螺旋状の溝の角度θは、８０°，５３°，２０°，溝なし、の４本（それぞれ試料１，試料２，試料３，試料４）を用意した。
【００３１】
螺旋形成電導体２０の一端に商用交流（１００Ｖ）を入力し、その出力側に負荷としてのドライヤ２２を接続した。
ドライヤ２２は、ＩＺＵＭＩ製造、定格１００Ｖ，１２００Ｗ、５０〜６０Ｈｚ仕様である。
螺旋形成電導体２０の一端の交流入力と他端の交流出力とを二現象オシロスコープ２３（ＳＳ−５７０２  ＤＣ〜２０Ｍ１Ｈｚ規格）を接続して波形を観測した。
その結果、本発明の螺旋形成電導体の場合は、交流波形のノイズ成分が効果的に除去されているものであった。
【００３２】
図１０に、その実測した交流波形の一例を示す（尚、ここでの波形は、便宜的に実測値を模式化して示したものである）。
また、図１０（Ａ）は、螺旋状の溝の角度θが５３°の場合（試料２）の交流入力の波形である。
図１０（Ｂ）は螺旋状の溝の角度θが５３°の場合（試料２）の交流出力の波形である。
前者の波形に比較して、後者の波形にはノイズ成分が効果的に除去されたものとなっている。
なお、試料４の場合は、当然の如く、入力又は出力とも図１０（Ａ）のような交流波形となっていた。
【００３３】
〔実測２〕
次に、上記実験１の電導体の代わりに、螺旋状の突起を備えた螺旋形成電導体（溝の角度θは、８０°，５３°，２０°，溝なし、）を使って同様な実験を行った。
その結果、本発明の螺旋形成電導体（溝なし以外のもの）の場合は、交流波形のノイズ成分が効果的に除去されているものであった。
【００３４】
〔実測３〕
更に、上記実験１の電導体の代わりに、電導体の断面形状を四角形とした以外は、上記実験１と同じ条件で実験を行った。
【００３５】
〔実測４〕
更に、上記実験１の電導体の代わりに、Ｓ撚り方向の螺旋状の溝とＺ撚り方向の螺旋状の溝の２つが形成されている電導体〔図５（Ａ）に相当〕を使った以外は、上記実験１と同じ条件で実験を行った。
以上、実験２、実験３、及び実験４においても、本発明の螺旋形成電導体の場合は、交流波形にノイズ成分が効果的に除去されているものであった。
【００３６】
〔実測５〕
更に、図８に示す螺旋形成電導体装置を使って実験を行った。
螺旋形成電導体装置における第１の電導体（長さは２５０ｍｍ、直径は６ｍｍ）の螺旋状の溝（θ＝５３°）の方向は、Ｓ撚り方向、第２の電導体のコイル状の電線（直径１ｍｍ）の巻き方向はＺ撚り方向で溝は形成しないものを使った。
また筒状金属板はアモルファス金属板で、被覆材は、無機質粉末を含有するポリウレタン樹脂を使った。
螺旋形成電導体装置の一端に商用交流（１００Ｖ）を入力し、その出力側に負荷としての実験１と同様のドライヤを接続した。
螺旋形成電導体の一端の交流入力と他端の交流出力とを二現象オシロスコープ２３（ＳＳ−５７０２  ＤＣ〜２０Ｍ１Ｈｚ規格）を接続して波形を観測した。
【００３７】
その結果、交流波形にノイズ成分が効果的に除去されたものとなっていた。
以上本発明を説明したが、本発明はその本質に沿う限り、種々の変形例が、可能であることはいうまでもない。
【００３８】
【発明の効果】
以上の説明から明らかなように、本発明の螺旋形成電導体を通ずることにより、交流の通電におけるノイズ成分を効果的に除去できる。
その結果、安定した磁界の発生が可能になった。
【図面の簡単な説明】
【図１】図１は、本発明の螺旋形成電導体の第１実施の形態における構成を示す側面図及び断面図である。
【図２】図２は、本発明の旋形成電導体の第２実施の形態における構成を示す側面図及び断面図である。
【図３】図３は、本発明の旋形成電導体の第３実施の形態における構成を示す図である。
【図４】図４は、本発明の本旋形成電導体の第４実施の形態における構成を示す図である。
【図５】図５は、本発明の螺旋形成電導体の第５実施の形態における構成を示す図である。
【図６】図６は、実施の形態にあって螺旋溝の角度を説明するための図である。
【図７】図７は、実施の形態にあって磁界発生の状態を説明するための回路図である。
【図８】図８は、前記、図１から図５の螺旋形成電導体を含む装置を示す図である。
【図９】図９は、実施の形態でのノイズ成分の除去観測実験について説明するための図である。
【図１０】図１０は、実施の形態にあって実測による波形例を説明するための図である。
【符号の説明】
１，２，３，４，５，２０，２１・・・電導体
１ａ，３ａ，５ａ・・・螺旋状の溝
２ｂ，４ｂ，５ｂ・・・螺旋状の突起
１０・・・電源
１５・・・巻回導線（コイル）
１６・・・筒状金属板
１７・・・被覆材
２２・・・ドライヤ
２３・・・二現象オシロスコープ
θ・・・螺旋状の溝又は突起の角度
【図１】
0004476445.tif 000002
【図２】
0004476445.tif 000003
【図３】
0004476445.tif 000004
【図４】
0004476445.tif 000005
【図５】
0004476445.tif 000006
【図６】
0004476445.tif 000007
【図７】
0004476445.tif 000008
【図８】
0004476445.tif 000009
【図９】
0004476445.tif 000010
【図１０】
0004476445.tif 000011